(57)【要約】【課題】  変化に富んだ開放態様を有することで遊技者に対し新たな興趣、インパクトを与えるパチンコ遊技機用入賞装置とその入賞装置を用いたパチンコ遊技機を提供する。【解決手段】  上側開放ソレノイド１３１が励磁され、後方アーム１１３が下側軸部１１１，１１１を中心に上方回動すると、開閉扉１１０は上部が遊技者側に近づくように回動する。大入賞口１０３は、上側が開いて左右方向のどの部分からでも玉が通過して入賞できるように開放される。下側開放ソレノイド１３２が励磁され、後方アーム１１３及び開閉扉１１０が上側軸部１１２，１１２を中心に上方回動すると、開閉扉１１０は下部が遊技者側から遠ざかるように回動する。大入賞口１０３は、下側が開いて左右方向のどの部分からでも玉が通過して入賞できるように開放される。【選択図】図５
2007007152.tif 000002
【特許請求の範囲】
【請求項１】
遊技盤の盤面に開口して玉が入賞可能な入賞口と、
その入賞口を閉鎖して玉の入賞を阻止する閉鎖状態から、第１の軸線の周りに回動して前記入賞口を開放する第１の開放状態と、前記第１の軸線とは異なる第２の軸線の周りに回動して前記入賞口を開放する第２の開放状態とに選択的に切り換えられる単一の開閉部材とを備えることを特徴とするパチンコ遊技機用入賞装置。
【請求項２】
遊技盤の盤面において左右方向に所定の開口幅を有する形態で開口して玉が入賞可能な入賞口と、
その入賞口を閉鎖して玉の入賞を阻止する閉鎖状態から、下部において左右方向に配置された第１の軸線の周りに上部が遊技者側に接近するように回動して前記入賞口を開放するとともに、その入賞口に向けて玉を誘導する第１の開放状態と、前記第１の軸線よりも上方において左右方向に配置された第２の軸線の周りに下部が遊技者側から離間するように回動して前記入賞口を開放する第２の開放状態とに選択的に切り換えられる開閉部材と、
前記開閉部材が前記閉鎖状態のときにその開閉部材から遊技者側に玉が通過できる間隔をあけて対向配置される第１の配置状態と、前記開閉部材が前記第２の開放状態のときに前記第１の軸線よりも上方において左右方向に配置された第３の軸線の周りに下部が遊技者側から離間するように回動して前記入賞口に向けて玉を誘導する第２の配置状態とに遷移する誘導部材とを備えることを特徴とするパチンコ遊技機用入賞装置。
【請求項３】
前記誘導部材には、前記第２の配置状態において玉を前記入賞口に誘導するために、少なくとも前記入賞口の開口幅を有する玉誘導面が前記開閉部材に対向する側に形成されている請求項２に記載のパチンコ遊技機用入賞装置。
【請求項４】
前記開閉部材が前記閉鎖状態から前記第２の開放状態へ遷移するとき、これに連動して前記誘導部材が前記第１の配置状態から前記第２の配置状態へ遷移するように、前記開閉部材と前記誘導部材とを連結する連結部材を備えている請求項２又は３に記載のパチンコ遊技機用入賞装置。
【請求項５】
前記開閉部材を前記閉鎖状態から前記第１の開放状態に遷移させる第１の駆動手段と、
前記開閉部材を前記閉鎖状態から前記第２の開放状態に遷移させる第２の駆動手段とを備える請求項１ないし４のいずれか１項に記載のパチンコ遊技機用入賞装置。
【請求項６】
請求項１ないし５のいずれか１項に記載のパチンコ遊技機用入賞装置を前記遊技盤に備えることを特徴とするパチンコ遊技機。
【発明の詳細な説明】
【技術分野】
【０００１】
本発明は、パチンコ遊技機用入賞装置とその入賞装置を備えたパチンコ遊技機に関する。
【背景技術】
【０００２】
パチンコ遊技機用入賞装置の一例として、１つの入賞口と一対の可動翼片（開閉部材）とを有するいわゆるチューリップ型入賞装置において、その一対の可動翼片の開口角度を２段階以上に制御して、入賞口の開口状態を半開きと完全開放の２段階に開口させる技術が提案されている（特許文献１参照）。そして、このような入賞装置によれば、入賞装置（可動翼片）自体の動作に変化を持たせるとともに、開口状態（開口角度）に応じて入賞率（入賞数）に格差を設けることによって、ゲーム性（興趣性）が高められることとなる。
【０００３】
【特許文献１】登録実用新案第３０１５８５０号公報
【０００４】
ところが、特許文献１に記載された入賞装置では、可動翼片は半開きと完全開放とで同じ方向に作動する。そのため、その変化は遊技者に十分な興趣を与えるほどのインパクトを有するとは言い難い。
【０００５】
また、特に、大当たりでの開放中に複数の入賞が可能で遊技者が多数の賞球を短時間で獲得できるような可変入賞装置（大入賞口）の場合、開口状態に応じて入賞率（入賞数）に格差が設けられていると、大当たりであっても賞球払出個数が大きく変動する。その上、通常の可変入賞装置（大入賞口）では、矩形状の開閉扉（開閉部材）が、その下辺に沿って配置される軸線の周りに上部を遊技者側（ガラス扉側）に接近させて回動・開放するので、半開き開口状態を設けると、大入賞口と開閉扉との間、又はガラス扉と開閉扉との間に玉が詰まる可能性が高まり、これによっても大当たり時の賞球払出個数が大きく変動する。このように、賞球払出個数の変動が大きくなると、遊技者にとっては大当たりにより獲得できる利益が大幅に減少し、かえって興趣が失われるおそれがある。一方、遊技店にとっては、興趣が失われないようにするため開口状態による入賞率の格差を解消しなければならなくなり、釘調整の熟練作業や大入賞口・ガラス扉間の間隔の設計変更等が必要となる。
【発明の開示】
【発明が解決しようとする課題】
【０００６】
本発明の課題は、変化に富んだ開放態様を有することで遊技者に対し新たな興趣、インパクトを与えるパチンコ遊技機用入賞装置とその入賞装置を用いたパチンコ遊技機を提供することにある。
【課題を解決するための手段及び発明の効果】
【０００７】
上記課題を解決するために、本発明のパチンコ遊技機用入賞装置は、
遊技盤の盤面に開口して玉が入賞可能な入賞口と、
その入賞口を閉鎖して玉の入賞を阻止する閉鎖状態から、第１の軸線の周りに回動して前記入賞口を開放する第１の開放状態と、前記入賞口を前記第１の軸線とは異なる第２の軸線の周りに回動してその入賞口を開放する第２の開放状態とに選択的に切り換えられる単一の開閉部材とを備えることを特徴とする。
【０００８】
具体的態様として、上記パチンコ遊技機用入賞装置は、
遊技盤の盤面に所定の開口幅を有する形態で開口して玉が入賞可能な入賞口と、
その入賞口を閉鎖して玉の入賞を阻止する閉鎖状態から、前記入賞口の幅方向に沿って配置された第１の軸線の周りに回動してその入賞口を開放する第１の開放状態と、前記第１の軸線とは別に（例えば平行状に）配置された第２の軸線の周りに回動して前記入賞口を開放する第２の開放状態とに選択的に切り換えられる単一の開閉部材とを備えることができる。
【０００９】
このような入賞装置の開閉部材は、２つの軸線の周りに互いに異なる方向に回動することによって、異なる態様の２つの開放状態に選択的に切り換えられるので、従来よりも一層変化に富んだ開放態様を呈する。これにより、遊技者に対して新たなインパクトと十分な興趣を与えることができる。
【００１０】
なお、それら２つの開放状態ではいずれの状態でも、（例えば単一の）入賞口は、玉をその入賞口に誘導できる領域が所定範囲内に（例えばほぼ等しく）維持されるように開放されれば、異なる開放態様ではあっても入賞率に格差を生じにくくすることができる。可変入賞装置（大入賞口）の場合、大当たりの際の入賞率が入賞口の開放態様によって大きく左右される事態は発生しなくなる。このことは、遊技者にとっては、大当たりにより入賞率が大幅に変化することはないので、換言すれば常に安定した高入賞率状態で遊技できるので、興趣を失わずにすむ。一方、遊技店にとっては、開放態様による入賞率の格差を是正するための釘調整等の熟練作業が不要となる。
【００１１】
ところで、上記開閉部材は、第１の軸線周りに遊技者側（ガラス扉側）に接近するように回動することによって入賞口を開放する第１の開放状態となる一方、第２の軸線周りに遊技者側（ガラス扉側）から遠ざかるように回動することによって入賞口を開放する第２の開放状態となることが望ましい。
【００１２】
このように、開閉部材は一方の開放状態では遊技者側に接近し（近づき）、他方の開放状態では遊技者側から離間する（遠ざかる）ので、開閉部材の作動が遊技者に視認しやすくなり、新たな注目度・期待感・興趣等を喚起（付加）することができる。
【００１３】
また、上記課題を解決するために、本発明のパチンコ遊技機用入賞装置は、
遊技盤の盤面において左右方向に所定の開口幅を有する形態で開口して玉が入賞可能な入賞口と、
その入賞口を閉鎖して玉の入賞を阻止する閉鎖状態から、下部において左右方向に配置された第１の軸線の周りに上部が遊技者側に接近するように回動して前記入賞口を開放するとともに、その入賞口に向けて玉を誘導する第１の開放状態と、前記第１の軸線よりも上方において左右方向に配置された第２の軸線の周りに下部が遊技者側から離間するように回動して前記入賞口を開放する第２の開放状態とに選択的に切り換えられる開閉部材と、
前記開閉部材が前記閉鎖状態のときにその開閉部材から遊技者側に玉が通過できる間隔をあけて対向配置される第１の配置状態と、前記開閉部材が前記第２の開放状態のときに前記第１の軸線よりも上方において左右方向に配置された第３の軸線の周りに下部が遊技者側から離間するように回動して前記入賞口に向けて玉を誘導する第２の配置状態とに遷移する誘導部材とを備えることを特徴とする。
【００１４】
この入賞装置には、２つの開放状態に選択的に切り換えられる（例えば単一の）開閉部材とともに、その開放状態の切り換えに対応して配置状態が変化する誘導部材が備えられている。すなわち、開閉部材が２つの開放状態のいずれに位置していても、入賞装置（入賞口）の前方（遊技者側；ガラス扉側）を落下する玉は、開閉部材と誘導部材とによって入賞口に誘導案内される。したがって、可変入賞装置（大入賞口）の場合に、入賞口と開閉部材との間、又はガラス扉と開閉部材との間に玉が詰まる可能性が低くなるので、大当たり時の入賞率に与える影響を小さくできる。このとき、開閉部材が２つの開放状態のいずれに位置していても、（例えば単一の）入賞口へ誘導できる領域が所定範囲内に（例えばほぼ等しく）維持されていれば、それらの間に玉が詰まる可能性はさらに低くなり、大当たり時の入賞率に与える影響はさらに小さくなる。
【００１５】
その際、誘導部材には、第２の配置状態において玉を入賞口に誘導するために、少なくとも入賞口の開口幅を有する玉誘導面が開閉部材に対向する側に形成されていると、誘導部材の玉誘導面により、玉を入賞口に誘導できる領域が第２の開放状態においても第１の開放状態とほぼ等しくなる。したがって、第１及び第２の開放状態にて同等の入賞率を維持しやすくなる。
【００１６】
また、開閉部材が閉鎖状態から第２の開放状態へ遷移するとき、これに連動して誘導部材が第１の配置状態から第２の配置状態へ遷移するように、開閉部材と誘導部材とを連結する連結部材を備えることができる。このような連結部材を備えることによって、開閉部材の第２の開放状態への位置変動に追随させて誘導部材を第２の配置状態へ容易に変化させることができ、入賞装置の簡素化、小型化を図ることができる。
【００１７】
さらに、開閉部材を閉鎖状態から第１の開放状態に遷移させる第１の駆動手段と、開閉部材を閉鎖状態から第２の開放状態に遷移させる第２の駆動手段とを備えることができる。２つの駆動手段を備えることによって、複雑な中間機構（伝動機構）等を設けなくても、開閉部材を上記した２つの開放状態に容易に切り換えることができ、入賞装置の簡素化、小型化を図ることができる。
【００１８】
次に、上記課題を解決するために本発明のパチンコ遊技機は、以上で述べたようなパチンコ遊技機用入賞装置を遊技盤に備えることを特徴とする。
【００１９】
これによって、上記入賞装置を、例えば変化に富んだ開放態様を有することで遊技者に対し新たな興趣、インパクトを与えることのできる可変入賞装置として、遊技盤の中央下部に搭載することが容易にできる。
【発明を実施するための最良の形態】
【００２０】
（実施例）
以下、本発明の実施の形態について、図面に示す実施例を参照して説明する。図１は本発明に係るパチンコ遊技機の一例を示す正面模式図である。図１に示すパチンコ遊技機１は、台枠に取り付けられた透明ガラス扉２と、台枠の内側に配置されてガラス扉２によって覆われる遊技盤３とを有する。遊技盤３にはほぼ円形状の遊技領域が形成され、遊技盤３の下方には玉供給皿４が設けられている。玉供給皿４に準備された玉は、ハンドル５を含んで構成される玉発射機構によって遊技盤３の遊技領域に向けて発射される。
【００２１】
なお、本実施例において上方側（又は上部側）とは鉛直方向上方側、下方側（又は下部側）とは鉛直方向下方側を意味する。また、後方側（又は後面側）とは遊技盤３の盤面と直交する方向（前後方向）におけるパチンコ遊技機１内部に向かう側（主制御基板等の種々の基板が設けられる内部機構側）、前方側（又は前面側）とはそれとは反対側の遊技者側（ガラス扉２側）を意味する。さらに、左右方向と言うとき、遊技盤３の盤面上で水平状の横方向以外に斜め状の横方向を含む。
【００２２】
遊技盤３の円形状遊技領域の略中央部には役物装置６が設けられ、その役物装置６内に遊技中に行われる当否抽選の結果等を演出表示及び確定表示するための液晶表示部７が設置されている。また、液晶表示部７（役物装置６）直下の遊技領域には、玉の入賞により賞球払出しが行われるとともに、当否抽選（特別図柄の内部抽選）を開始させる始動入賞口８（スタートチャッカ）が配置されている。さらに、始動入賞口８直下の遊技領域には、当否抽選結果が大当たりのときに所定時間（例えば２５秒間）又は所定入賞数（例えば１０個）を１ラウンドとして所定ラウンド（例えば８ラウンド）継続して開放されて玉を入賞しやすくする可変入賞装置１０（パチンコ遊技機用入賞装置）が配置されている。そして、液晶表示部７（役物装置６）左下方の遊技領域には、玉のゲート通過により予備抽選（普通図柄の内部抽選）を開始する通過ゲート９（スルーチャッカ）が配置されている。なお、可変入賞装置１０の両側には第１入賞口１１と第２入賞口１２とが左右に振り分けて配置されるとともに、可変入賞装置１０の下方にはアウト玉を回収するためのアウト口１３が設けられている。
【００２３】
液晶表示部７は、特別図柄表示部１４と普通図柄表示部１５と保留玉表示部１６とを有している。特別図柄表示部１４には、始動入賞口８への入賞に基づき、数字等で構成された複数桁（例えば３桁）の特別図柄が可変表示される。普通図柄表示部１５には、通過ゲート９の玉通過に基づき、同様に複数桁（例えば２桁）の普通図柄が表示される。保留玉表示部１６には、当否抽選結果を特別図柄表示部１４へ図柄変動表示中に始動入賞口８への入賞があった場合に、当否抽選結果を表示待機中の保留個数が所定数（例えば４個）まで点灯表示される。このことは、特別図柄表示部１４への図柄変動表示中に始動入賞口８への入賞があった場合に、４個を上限として当否抽選結果を記憶しておけることを表わしている。
【００２４】
図２は本発明に係るパチンコ遊技機用入賞装置の一例としての可変入賞装置において大入賞口が閉鎖状態にあるときの正面図、図３はそのＡ−Ａ断面図、図４はそのＢ−Ｂ断面図、図５は斜視説明図である。図２及び図３に示すように、可変入賞装置１０は、遊技盤３の盤面に開口して玉が入賞可能な大入賞口１０３（アタッカ；入賞口）を有し遊技盤３に嵌め込み固定された箱状の本体部１００と、大入賞口１０３とほぼ同じ形状と大きさを有し大入賞口１０３を開閉する開閉扉１１０（開閉部材）と、開閉扉１１０から遊技者側（ガラス扉２側）に玉Ｂが通過できる間隔をあけて対向配置される透明な誘導板１２０（誘導部材）とを備えている。大入賞口１０３は、遊技者側から見て左右方向に長く上下方向に短い開口幅で、本体部１００前面において矩形状に開口している。
【００２５】
図４及び図５に示すように、開閉扉１１０は、大入賞口１０３の下部に左右方向（幅方向）に沿って配置された下側軸線Ｏ１（第１の軸線）の周りに回動できる。具体的には、開閉扉１１０には、大入賞口１０３の下縁に沿って左右（幅方向両側）に下側軸部１１１，１１１（第１の軸部）がそれぞれ突出形成されている。大入賞口１０３の左右の下端には、後方側に開口したコの字状の下側軸受部１０１，１０１（第１の軸受部）がそれぞれ本体部１００に固定配置され、下側軸部１１１，１１１は下側軸受部１０１，１０１にそれぞれ回動可能に支承されている。開閉扉１１０の右側（幅方向片側）下端部には、開閉扉１１０から交差状に（例えば直交状に）後方に延出する後方アーム１１３が一体的に突出固定されている。上下方向に配置された上側開放ソレノイド１３１（第１の駆動手段）のプランジャヘッド１３１ａが後方アーム１１３の中間部に下側から接触（接当）している。
【００２６】
上側開放ソレノイド１３１の本体とプランジャヘッド１３１ａとの間のプランジャ１３１ｂには引張コイルばね１３１ｃが介装され、上側開放ソレノイド１３１の励磁により引張コイルばね１３１ｃの弾発力（引張力）に抗してプランジャヘッド１３１ａ（プランジャ１３１ｂ）が突出する。したがって、上側開放ソレノイド１３１のプランジャヘッド１３１ａの突出により、開閉扉１１０は下側軸部１１１，１１１（下側軸線Ｏ１）を中心として上部が遊技者側（ガラス扉２側）に近づく（接近する）ように回動できる。これによって、大入賞口１０３は、上側が開いて左右方向のどの部分からでも玉が通過して入賞できるように開放される（図８参照）。なお、上側開放ソレノイド１３１には、励磁により圧縮コイルばねの弾発力に抗してプランジャヘッド１３１ａ（プランジャ１３１ｂ）が退入するタイプのものを用いてもよい。
【００２７】
他方、開閉扉１１０は、大入賞口１０３の上部に左右方向（幅方向）に沿って配置され、下側軸線Ｏ１の上方で平行状に位置する上側軸線Ｏ２（第２の軸線）の周りにも回動できる。具体的には、開閉扉１１０には、大入賞口１０３の上縁に沿って左右（幅方向両側）に上側軸部１１２，１１２（第２の軸部）がそれぞれ突出形成されている。大入賞口１０３の左右の上端には、前方側に開口したＬ字状の上側軸受部１０２，１０２（第２の軸受部）がそれぞれ配置され、上側軸部１１２，１１２は上側軸受部１０２，１０２にそれぞれ回動可能に支承されている。
【００２８】
また、このとき、下側軸部１１１，１１１は下側軸受部１０１，１０１から外れて後方側へ移動可能である。前後方向に配置された下側開放ソレノイド１３２（第２の駆動手段）のプランジャヘッド１３２ａと上記後方アーム１１３の後端部とが接続リンク１３３で接続されている。詳しくは、後方アーム１１３の後端部から右側（幅方向片側）に一体的に突出する接続ピン１１３ａが接続リンク１３３の前端部に貫通形成される長孔状の挿通孔１３３ａに挿通され、接続リンク１３３の後端部はプランジャヘッド１３２ａに回動可能に接続されている。
【００２９】
下側開放ソレノイド１３２の本体とプランジャヘッド１３２ａとの間のプランジャ１３２ｂには引張コイルばね１３２ｃが介装され、下側開放ソレノイド１３２の励磁により引張コイルばね１３２ｃの弾発力（引張力）に抗してプランジャヘッド１３２ａ（プランジャ１３２ｂ）が突出する。したがって、開閉扉１１０は、下側開放ソレノイド１３２によって上側軸部１１２，１１２（上側軸線Ｏ２）を中心として下部が遊技者側（ガラス扉２側）から遠ざかる（離間する）ように回動できる。これによって、大入賞口１０３は、下側が開いて左右方向のどの部分からでも玉が通過して入賞できるように開放される（図１１参照）。なお、下側開放ソレノイド１３２には、励磁により圧縮コイルばねの弾発力に抗してプランジャヘッド１３２ａ（プランジャ１３２ｂ）が退入するタイプのものを用いてもよい。
【００３０】
図５において、本体部１００の上部前端部からさらに前方のガラス扉２近傍まで左右の固定リンク１０４，１０４がそれぞれ一体的に延設されている。この固定リンク１０４，１０４は、誘導板１２０の左右上端部を、下側軸線Ｏ１の上方かつ上側軸線Ｏ２の前方でこれらと平行状に位置する前方側軸線Ｏ３（第３の軸線）の周りに回動可能に支持している。具体的には、誘導板１２０には、上縁に沿って左右（幅方向両側）に前方側軸部１２３，１２３（第３の軸部）がそれぞれ突出形成され、固定リンク１０４，１０４に軸支されている。
【００３１】
また、誘導板１２０の左右下端部に突出形成された連結軸１２４，１２４が左右の移動リンク１２１，１２１（連結部材）の前端部と各々回動可能に連結されている。一方、開閉扉１１０の左右下端部（具体的には下側軸部１１１，１１１）と左右の移動リンク１２１，１２１の後端部とは、各々回動可能に連結されている。さらに、符号１０５は接続ピン１１３ａと本体部１００との間に掛け渡された引張コイルスプリング等からなる戻しばね（弾発部材）であり、接続ピン１１３ａ（すなわち後方アーム１１３及び接続リンク１３３）を下向き（すなわち開閉扉１１０が大入賞口１０３を閉鎖する方向）に付勢している。
【００３２】
誘導板１２０はガラス扉２（図３参照）に沿って垂下され、誘導板１２０には、大入賞口１０３（図２参照）の左右方向の開口幅とほぼ等しく、開閉扉１１０の後方側に形成された玉誘導面１１０ａ（図３参照）の左右方向の幅ともほぼ等しい幅を有する玉誘導面１２０ａが後方側（開閉扉１１０対向側）に形成されている。
【００３３】
なお、図３に示す符号１０７は、大入賞口１０３への入賞有無及び入賞数を検知するために、玉通路１０６に配置され、近接スイッチ等の非接触センサで構成される大入賞検出器（入賞検知手段）である。図４に示すように、可変入賞装置１０の本体部１００には、下側軸受部１０１，１０１、上側軸受部１０２，１０２及び両ソレノイド１３１，１３２が固定されている。また、図４において、開閉扉１１０，誘導板１２０，移動リンク１２１及び固定リンク１０４の４部材は、固定リンク１０４を固定辺（静止節）とする平行クランク機構を構成している（図７，図１０参照）。
【００３４】
次に、可変入賞装置１０の作動（大入賞口１０３の開放態様）について、図６〜図１１を参照して説明する。
（１）上側開放状態（第１の開放状態；図６〜図８）
パチンコ遊技機１において、所定の開放条件（例えば、始動入賞口８への入賞に基づく当否抽選結果が第１大当たり）が成立したときに、開閉扉１１０が大入賞口１０３を上側開放状態で開放する。
【００３５】
上側開放ソレノイド１３１が励磁され、引張コイルばね１３１ｃ及び戻しばね１０５の弾発力（引張力）に抗してプランジャヘッド１３１ａが上向きに突出し、後方アーム１１３の中間部を下側から押し上げる。後方アーム１１３が下側軸受部１０１，１０１に支承された下側軸部１１１，１１１（下側軸線Ｏ１）を中心に上方回動（反時計回りに回動）すると、後方アーム１１３と一体的に固定された開閉扉１１０は、上部が遊技者側に近づくように回動する。その結果、大入賞口１０３は、上側が開いて左右方向のどの部分からでも玉Ｂが通過して入賞できるように開放され、玉Ｂは開閉扉１１０の後方側に形成された玉誘導面１１０ａで大入賞口１０３に誘導される。図６に示すように、上側開放状態で可変入賞装置１０（大入賞口１０３）に入賞した玉Ｂは、玉通路１０６の大入賞検出器１０７で入賞検知され入賞数にカウントされた後、玉通路１０６から装置外に排出される。
【００３６】
図７及び図８に示すように、下側軸部１１１，１１１と移動リンク１２１，１２１の後端部とは回動可能に連結されているので、後方アーム１１３及び開閉扉１１０が下側軸部１１１，１１１を中心に回動しても、移動リンク１２１，１２１は移動しない。したがって、誘導板１２０は、開閉扉１１０から遊技者側（ガラス扉２側）に玉が通過できる間隔をあけて対向配置されて垂下したまま変位しない（第１の配置状態）。ところで、玉Ｂを大入賞口１０３に導くように開閉扉１１０の上部が回動することによって、誘導板１２０と開閉扉１１０との間隔は上部において狭められ（詰められ）る。したがって、玉Ｂはガラス扉２と誘導板１２０との間、開閉扉１１０と誘導板１２０との間のいずれも通過できない（図６参照）。
【００３７】
なお、開閉扉１１０が下側軸部１１１，１１１を中心に回動するとき、上側軸部１１２，１１２は上側軸受部１０２，１０２から脱出する。また、後方アーム１１３が下側軸部１１１，１１１を中心に回動するとき、接続ピン１１３ａが挿通孔１３３ａ内を移動できる（つまり挿通孔１３３ａが逃がし機能を有する）。したがって、接続リンク１３３は下側開放ソレノイド１３２のプランジャヘッド１３２ａの周りを自由回動でき、プランジャヘッド１３２ａを突出させるような力を及ぼさない。
【００３８】
そして、上側開放ソレノイド１３１が消磁されると、引張コイルばね１３１ｃの弾発力によってプランジャヘッド１３１ａが下向きに退入し、戻しばね１０５の弾発力によって接続ピン１１３ａが下方へ移動する。これによって、後方アーム１１３と一体的に固定された開閉扉１１０は、上部が遊技者側から遠ざかるように回動する。その結果、開閉扉１１０は、大入賞口１０３を閉鎖して玉の入賞を阻止する閉鎖状態に戻る（図２〜図５参照）。
【００３９】
（２）下側開放状態（第２の開放状態；図９〜図１１）
パチンコ遊技機１において、所定の開放条件（例えば、始動入賞口８への入賞に基づく当否抽選結果が第２大当たり）が成立したときに、開閉扉１１０が大入賞口１０３を下側開放状態で開放する。
【００４０】
下側開放ソレノイド１３２が励磁され、引張コイルばね１３２ｃ及び戻しばね１０５の弾発力（引張力）に抗してプランジャヘッド１３２ａが後方に突出し、接続リンク１３３及び接続ピン１１３ａを介して後方アーム１１３を後方側に移動させる。後方アーム１１３及びそれと一体的に固定された開閉扉１１０が、上側軸受部１０２，１０２に支承された上側軸部１１２，１１２（上側軸線Ｏ２）を中心に上方回動（反時計回りに回動）すると、開閉扉１１０は下部が遊技者側から遠ざかるように回動する。その結果、大入賞口１０３は、下側が開いて左右方向のどの部分からでも玉Ｂが通過して入賞できるように開放される。図９に示すように、下側開放状態で可変入賞装置１０（大入賞口１０３）に入賞した玉Ｂは、玉通路１０６の大入賞検出器１０７で入賞検知され入賞数にカウントされた後、玉通路１０６から装置外に排出される。
【００４１】
図１０及び図１１に示すように、下側軸部１１１，１１１と移動リンク１２１，１２１の後端部とは回動可能に連結されているので、後方アーム１１３及び開閉扉１１０が上側軸部１１２，１１２を中心に上方回動すると、移動リンク１２１，１２１も後方側に移動する。したがって、誘導板１２０は、上端部の前方側軸部１２３，１２３前方側軸線Ｏ３を支持された固定リンク１０４，１０４に対して反時計回りに（すなわち下部が遊技者側から遠ざかるように）回動し、後方側に形成された玉誘導面１２０ａで大入賞口１０３に向けて玉Ｂを誘導する（第２の配置状態）。このとき、玉Ｂは誘導板１２０と開閉扉１１０との間のみ通過できる（図９参照）。
【００４２】
なお、後方アーム１１３及び開閉扉１１０が上側軸部１１２，１１２を中心に回動するとき、下側軸部１１１，１１１は下側軸受部１０１，１０１から脱出する。また、下側開放ソレノイド１３２のプランジャヘッド１３２ａが後方に突出し、同時に後方アーム１１３及び開閉扉１１０が上側軸部１１２，１１２を中心に回動するとき、移動リンク１２１，１２１はプランジャヘッド１３１ａの上方を離れて後方側に移動する。したがって、移動リンク１２１，１２１の移動はプランジャヘッド１３１ａに影響を及ぼさない。さらに、閉鎖状態から下側開放状態への移行時にも接続ピン１１３ａは挿通孔１３３ａ内を移動できる（つまり挿通孔１３３ａが逃がし機能を有する）ため、後方アーム１１３及び開閉扉１１０の後方回動につれて接続リンク１３３はプランジャヘッド１３２ａの周りを自由回動できる。
【００４３】
そして、下側開放ソレノイド１３２が消磁されると、引張コイルばね１３２ｃの弾発力によってプランジャヘッド１３２ａが前方に退入し、戻しばね１０５の弾発力によって接続ピン１１３ａが下方へ移動する。これによって、後方アーム１１３と一体的に固定された開閉扉１１０は、下部が遊技者側に近づくように回動する。その結果、開閉扉１１０は、大入賞口１０３を閉鎖して玉の入賞を阻止する閉鎖状態に戻る（図２〜図５参照）。
【００４４】
このように、可変入賞装置１０の開閉扉１１０は、上側開放状態では遊技者側に接近し、下側開放状態では遊技者側から離間して、変化に富んだ２つの開放態様を提供できるので、作動の違いが遊技者の目に留まりやすく（注目されやすく）なる。しかも、これら２つの開放状態ではいずれも、１つの大入賞口１０３を左右方向のどの部分からでも玉が通過して入賞できるように開放し、開閉扉１１０の玉誘導面１１０ａと誘導板１２０の玉誘導面１２０ａとは左右方向の幅（又は玉誘導面積）がほぼ等しい（あるいは差が例えば２０％以内に留まる）ので、異なる開放態様ではあっても遊技盤３を流下する玉Ｂの入賞率に格差を生じにくい。
【００４５】
したがって、遊技者においては、大当たりの際の入賞率が大入賞口１０３の開放態様によって左右されることがないため、大当たりにより入賞率が変化することはなく常に安定した高入賞率状態で遊技できる。また、遊技店においては、２つの開放状態に入賞率の格差を生じにくいため、いずれか一方の開放状態で釘調整を行なえば他方の開放状態での釘調整が不要となる。つまり、開口状態による入賞率の格差を解消するために、釘調整によって開口状態ごとの玉の寄り具合を揃える（均等化する）等の熟練作業を要しなくなる。
【００４６】
さらに、上記２つの開放状態では、いずれも大入賞口１０３を開放し、開閉扉１１０及び誘導板１２０により玉を大入賞口１０３に誘導案内することができるので、大入賞口１０３と開閉扉１１０との間、又はガラス扉２と開閉扉１１０との間に玉詰まりが発生しにくく、入賞率（大当たり時の入賞個数）が低下しにくい。
【００４７】
開閉扉１１０，誘導板１２０，移動リンク１２１及び固定リンク１０４が、固定リンク１０４を固定辺（静止節）とする平行クランク機構を構成しているので、複雑な機構を用いなくとも、開閉扉１１０を２つの開放状態に容易かつ簡便に切り換えることができる。
【００４８】
次に、図１２は図１のパチンコ遊技機の電気的構成を示すブロック図である。遊技制御装置２０は、パチンコ遊技機１全体の制御を司るメイン基板２１と、メイン基板２１からの制御信号を受けて各部を制御する表示制御基板２６，音声制御基板２７，ランプ制御基板２８，払出制御基板２９，発射制御基板３０と、これらの各基板に電源を供給する電源回路３１とを含んで構成されている。
【００４９】
メイン基板２１には、ＣＰＵ２２，ＲＯＭ２３，ＲＡＭ２４，入出力インターフェース２５等が搭載され、これらが送受信可能に接続されたマイクロコンピュータにより構成されている。ＲＯＭ２３には、パチンコ遊技全体を制御するための制御プログラム２３ａ、当否抽選結果を図柄表示制御するための図柄変動処理プログラム２３ｂ、２種類の大当たりごとに大当たり処理制御するための第１大当たり処理プログラム２３ｃ及び第２大当たり処理プログラム２３ｄ等が格納されている。ＣＰＵ２２は、ＲＯＭ２３から読み込んだ各プログラム２３ａ，２３ｂ，２３ｃ，２３ｄに基づいてパチンコ遊技を実行する。ＲＡＭ２４はそのプログラムを実行する際のワークエリアとして使用される。
【００５０】
表示制御基板２６にはメイン基板２１のＣＰＵ２２からの制御信号が入出力インターフェース２５を介して入力され、表示制御基板２６では制御信号に応じて液晶表示部７の特別図柄表示部１４、普通図柄表示部１５、保留玉表示部１６に対する表示指令が作成され出力される。音声制御基板２７にも同様に制御信号が入力され、音声制御基板２７では音声信号が作成されてスピーカ４１に出力される。ランプ制御基板２８にも同様に制御信号が入力され、ランプ制御基板２８では制御信号に応じて装飾ランプ等のランプ類４２に対する駆動指令が作成され出力される。払出制御基板２９にも同様に制御信号が入力され、払出制御基板２９では制御信号に応じて賞球や貸球の払出装置４３に対する駆動指令が作成され出力される。発射制御基板３０にも同様に制御信号が入力され、発射制御基板３０では制御信号に応じて玉の発射装置４４に対する駆動指令が作成され出力される。
【００５１】
図１２に示すように、パチンコ遊技機１の遊技盤３各部から次の信号が入出力インターフェース２５を介してメイン基板２１へ入力されている。
・ゲート通過検出器５１：玉が通過ゲート９（図１参照）を通過したことの検知信号；
・始動入賞検出器５２：玉が始動入賞口８（図１参照）に入賞したことの検知信号；
・第１入賞検出器５３：玉が第１入賞口１１（図１参照）に入賞したことの検知信号；
・第２入賞検出器５４：玉が第２入賞口１２（図１参照）に入賞したことの検知信号；
・大入賞検出器１０７：玉が可変入賞装置１０に入賞して玉通路１０６（図６，図９参照）を通過したことの検知信号。
【００５２】
同様に、次の信号が入出力インターフェース２５を介してメイン基板２１からパチンコ遊技機１の遊技盤３各部へ出力されている。
・始動入賞ソレノイド５５：始動入賞口８（図１参照）の開閉のための制御出力信号；
・上側開放ソレノイド１３１（図８参照）：可変入賞装置１０の開閉扉１１０を上側開放状態で開閉するための制御出力信号；
・下側開放ソレノイド１３２（図１１参照）：可変入賞装置１０の開閉扉１１０を下側開放状態で開閉するための制御出力信号。
【００５３】
次に、具体的な制御手順について、図１３〜図１５に示すフローチャートを参照しつつ説明する。以下に説明する実施例では、始動入賞口８への入賞に基づく当否抽選において２種類の大当たりが設定され、第１大当たりでは可変入賞装置１０の開閉扉１１０が上側開放状態となって相対的に少ないラウンド数（例えば８ラウンド）で継続して開放制御される一方、第２大当たりでは開閉扉１１０が下側開放状態となって相対的に多いラウンド数（例えば１５ラウンド）で継続して開放制御される。なお、ＲＯＭ２３に格納された各種プログラムのうち、制御プログラム２３ａは、パチンコ遊技全体の制御を司るもので、パチンコ遊技機１への電源投入後に、割込みモードの設定やＲＡＭチェック等の初期化処理、初期化処理の終了後に始動入賞口８等への入賞検出処理、大当たり抽選処理、図柄変動処理、大当たり処理などを実行する周知の内容であるため説明を省略する。
【００５４】
最初に、図１３のフローチャートより前に行なわれる処理の概要を説明する。図１に示すパチンコ遊技機１の遊技盤３において、玉が通過ゲート９を通過したことをゲート通過検出器５１が検知すると、ＣＰＵ２２において予備抽選（普通図柄の内部抽選）が行なわれ、抽選結果は普通図柄表示部１５に表示される。その結果が「当たり」であると、確変（確率変動）状態が発生していない通常状態においては始動入賞口８を相対的に短時間（例えば０．２秒間）開放する一方、確変状態においては始動入賞口８を相対的に長時間（例えば５秒間）開放する。これらの始動入賞口８の開放中に玉がその始動入賞口８に入賞したことを始動入賞検出器５２が検知すると、ＣＰＵ２２において当否抽選（特別図柄の内部抽選）が行なわれる。
【００５５】
ここで、ＲＯＭ２３に格納された図柄変動処理プログラム２３ｂについて、図１３に示すフローチャートにより説明する。まず、Ｓ１にて当否抽選の結果が大当たり（第１大当たり及び第２大当たり）か否かをチェックし、大当たりであれば（Ｓ１でＹＥＳ）、Ｓ２にてどちらの大当たりかを確認する。当否抽選結果が８ラウンド継続の第１大当たりである場合には（Ｓ２でＹＥＳ）、Ｓ３にて第１大当たりフラグをオン（「１」に）する一方、１５ラウンド継続の第２大当たりである場合には（Ｓ２でＮＯ）、Ｓ４にて第２大当たりフラグをオン（「１」に）する。
【００５６】
次に、Ｓ５にて当否抽選による大当たり図柄の種別（確変大当たり図柄と普通大当たり図柄）がどちらかを確認する。図柄が確変大当たり図柄の場合には（Ｓ５でＹＥＳ）、Ｓ６にて特別図柄表示部１４（図１参照）にその確変大当たり図柄で停止表示させ、Ｓ７にて確変フラグをオン（「１」に）した後リターンすると、大当たり処理終了後に確変状態に移行する。一方、図柄が普通大当たり図柄の場合には（Ｓ５でＮＯ）、Ｓ８にてその普通大当たり図柄で停止表示させ、Ｓ９にて確変フラグをオフ（「０」に）した後リターンすると、大当たり処理終了と同時に通常状態に戻る。なお、当否抽選の結果が大当たりでない場合（すなわち外れの場合）には（Ｓ１でＮＯ）、Ｓ１０にてその外れ図柄で停止表示させた後リターンする。
【００５７】
Ｓ１で当否抽選が大当たり（第１大当たり及び第２大当たり）となる確率は、通常状態よりも確変状態（確率変動中）の方が高く設定されている（例えば通常状態で１／２５０、確変状態で１／２５）。また、Ｓ２で第１大当たり（８ラウンド継続）が選択される確率（例えば９／１０）は、第２大当たり（１５ラウンド継続）が選択される確率（例えば１／１０）よりも高く設定されている。さらに、Ｓ５で確変大当たり図柄が選択される確率（例えば４／５）は、普通大当たり図柄が選択される確率（例えば１／５）よりも高く設定されている。
【００５８】
次に、ＲＯＭ２３に格納された第１大当たり処理プログラム２３ｃについて、図１４に示すフローチャートにより説明する。Ｓ１１にて第１大当たりフラグがオン（「１」）であるか否かを判定し、第１大当たりフラグがオンである場合には（Ｓ１１でＹＥＳ）、Ｓ１２にて継続ラウンド数が８に達しているか否かを確認する。継続ラウンド数が８に達していなければ（Ｓ１２でＹＥＳ）、Ｓ１３にてラウンド数を「１」インクリメントし、Ｓ１４にて大入賞口１０３を上側開放状態（図６〜図８参照）とする。
【００５９】
続いてＳ１５にて大入賞検出器１０７で検知された入賞数が最大入賞個数である１０個に達したか否か、Ｓ１６にて開放継続時間が最大開放時間である２５秒間を経過したか否かをそれぞれチェックする。そして、Ｓ１５とＳ１６のいずれかを満たした場合に（Ｓ１５でＹＥＳ又はＳ１６でＹＥＳ）、Ｓ１７にて大入賞口１０３を閉鎖状態（図２〜図５参照）とした後リターンする。なお、継続ラウンド数が８に達していれば（Ｓ１２でＮＯ）、Ｓ１８にて第１大当たりフラグをオフ（「０」）とし、Ｓ１９にてラウンド数をリセット（「０」）した後リターンする。
【００６０】
このように、第１大当たり処理では、上側開放状態において相対的に大に設定された大入賞口１０３への最大入賞個数（例えば１０個）の入賞を検知するか、あるいは上側開放状態において所定値に設定された大入賞口１０３の最大開放時間（例えば２５秒間）を経過するか、のいずれか早い方が成立するまでを１ラウンドとし、ラウンドごとに大入賞口１０３を閉鎖し、相対的に小に設定された継続ラウンド数（例えば８ラウンド）が終了するまでこの開閉処理を繰り返すようにしている。
【００６１】
さらに、ＲＯＭ２３に格納された第２大当たり処理プログラム２３ｄについて、図１５に示すフローチャートにより説明する。Ｓ２１にて第２大当たりフラグがオン（「１」）であるか否かを判定し、第２大当たりフラグがオンである場合には（Ｓ２１でＹＥＳ）、Ｓ２２にて継続ラウンド数が１５に達しているか否かを確認する。継続ラウンド数が１５に達していなければ（Ｓ２２でＹＥＳ）、Ｓ２３にてラウンド数を「１」インクリメントし、Ｓ２４にて大入賞口１０３を下側開放状態（図９〜図１１参照）とする。
【００６２】
続いてＳ２５にて大入賞検出器１０７で検知された入賞数が最大入賞個数である９個に達したか否か、Ｓ２６にて開放継続時間が最大開放時間である２５秒間を経過したか否かをそれぞれチェックする。そして、Ｓ２５とＳ２６のいずれかを満たした場合に（Ｓ２５でＹＥＳ又はＳ２６でＹＥＳ）、Ｓ２７にて大入賞口１０３を閉鎖状態（図２〜図５参照）とした後リターンする。なお、継続ラウンド数が１５に達していれば（Ｓ２２でＮＯ）、Ｓ２８にて第２大当たりフラグをオフ（「０」）とし、Ｓ２９にてラウンド数をリセット（「０」）した後リターンする。
【００６３】
このように、第２大当たり処理では、下側開放状態において相対的に小に設定された大入賞口１０３への最大入賞個数（例えば９個）の入賞を検知するか、あるいは下側開放状態において所定値に設定された大入賞口１０３の最大開放時間（例えば２５秒間）を経過するか、のいずれか早い方が成立するまでを１ラウンドとし、ラウンドごとに大入賞口１０３を閉鎖し、相対的に大に設定された継続ラウンド数（例えば１５ラウンド）が終了するまでこの開閉処理を繰り返すようにしている。
【００６４】
以上の実施例では、大入賞口１０３の２種類の開放態様（上側開放状態及び下側開放状態）に、当否抽選の２種類の大当たり（第１大当たり及び第２大当たり）を対応させた場合について説明したが、適宜変更を加えることができる。例えば、
（１）大入賞口１０３の開放態様と他の遊技状況との対応付けも可能である。
（２）大入賞口１０３の開放態様を３以上設けてもよい。
（３）大入賞口１０３（可変入賞装置１０）以外の入賞口の開放態様にも適用できる。
【図面の簡単な説明】
【００６５】
【図１】本発明に係るパチンコ遊技機の一例を示す正面模式図。
【図２】本発明に係るパチンコ遊技機用入賞装置の一例としての可変入賞装置において大入賞口が閉鎖状態にあるときの正面図。
【図３】図２に示す可変入賞装置のＡ−Ａ断面図。
【図４】図２に示す可変入賞装置のＢ−Ｂ断面図。
【図５】図２に示す可変入賞装置の斜視説明図。
【図６】図２に示す可変入賞装置において大入賞口が上側開放状態にあるときの図３に相当する断面図。
【図７】上側開放状態での図４に相当する断面図。
【図８】上側開放状態での図５に相当する斜視説明図。
【図９】図２に示す可変入賞装置において大入賞口が下側開放状態にあるときの図３に相当する断面図。
【図１０】下側開放状態での図４に相当する断面図。
【図１１】下側開放状態での図５に相当する斜視説明図。
【図１２】図１のパチンコ遊技機の電気的構成を示すブロック図。
【図１３】図柄変動処理を示すフローチャート。
【図１４】第１大当たり処理を示すフローチャート。
【図１５】第２大当たり処理を示すフローチャート。
【符号の説明】
【００６６】
１          パチンコ遊技機
１０        可変入賞装置（パチンコ遊技機用入賞装置）
１００      本体部
１０１      下側軸受部（第１の軸受部）
１０２      上側軸受部（第２の軸受部）
１０３      大入賞口（入賞口）
１１０      開閉扉（開閉部材）
１１０ａ    玉誘導面
１１１      下側軸部（第１の軸部）
１１２      上側軸部（第２の軸部）
１２０      誘導板（誘導部材）
１２０ａ    玉誘導面
１２１      移動リンク（連結部材）
１２３      前方側軸部（第３の軸部）
１３１      上側開放ソレノイド（第１の駆動手段）
１３２      下側開放ソレノイド（第２の駆動手段）
Ｏ１        下側軸線（第１の軸線）
Ｏ２        上側軸線（第２の軸線）
Ｏ３        前方側軸線（第３の軸線）
【図１】
2007007152.tif 000003
【図２】
2007007152.tif 000004
【図３】
2007007152.tif 000005
【図４】
2007007152.tif 000006
【図５】
2007007152.tif 000007
【図６】
2007007152.tif 000008
【図７】
2007007152.tif 000009
【図８】
2007007152.tif 000010
【図９】
2007007152.tif 000011
【図１０】
2007007152.tif 000012
【図１１】
2007007152.tif 000013
【図１２】
2007007152.tif 000014
【図１３】
2007007152.tif 000015
【図１４】
2007007152.tif 000016
【図１５】
2007007152.tif 000017